(57)【要約】    【課題】  強度を確保しながら小径化を達成すると共に部品を別体にすることなく組み込みを可能とし、組み立て作業性も向上させることを可能とする。    【解決手段】  ズームレンズ鏡筒は、レンズホルダ２０、３０が配設される直進筒１０、直進筒１０の外周面の末端側に形成された雄ヘリコイド１１、雄ヘリコイド１１と交差し、カムピン２１及びカムピン３１を通過させるための直進案内溝１３、雄ヘリコイド１１の裏側における直進案内溝１３と交差する部分に形成されたカムピン導入用切り欠き１４を備える。雄ヘリコイド１１における直進案内溝１３と交差する部分のヘリコイド谷部をヘリコイド山部と略同一面となるように肉盛りし、ヘリコイド埋め立て部１２とする。ヘリコイド埋め立て部１２の周辺のヘリコイドを目印ヘリコイドとして利用する。【選択図】      図１
2005141067.tif 000002
【特許請求の範囲】
【請求項１】
筒状部材と、前記筒状部材の周面に形成されたヘリコイドと、前記筒状部材の周面に形成された案内溝とを備え、
前記筒状部材における前記案内溝周辺の前記ヘリコイドの谷部を前記ヘリコイドの山部と略同一面となるように肉盛りしたことを特徴とするレンズ鏡筒。
【請求項２】
前記筒状部材における前記ヘリコイド形成面の反対側の面に、前記筒状部材の内部を軸方向に移動可能なレンズ保持部材の外周側が挿通可能な切り欠き部を備え、前記切り欠き部の底面の径が、前記ヘリコイドの谷部の径と前記ヘリコイドの山部の径との間にあることを特徴とする請求項１記載のレンズ鏡筒。
【請求項３】
前記ヘリコイドは、前記筒状部材の外周面に形成された雄ヘリコイドであることを特徴とする請求項１記載のレンズ鏡筒。
【請求項４】
前記ヘリコイドは、前記筒状部材の内周面に形成された雌ヘリコイドであることを特徴とする請求項１記載のレンズ鏡筒。
【請求項５】
前記案内溝は、前記ヘリコイドと交差し光軸に略平行な直線状の案内溝であることを特徴とする請求項１記載のレンズ鏡筒。
【請求項６】
前記案内溝は、前記ヘリコイドと同一のリードで形成された螺旋状の案内溝であることを特徴とする請求項１記載のレンズ鏡筒。
【請求項７】
前記案内溝周辺のヘリコイドは、前記直線状の案内溝と交差しているヘリコイドであることを特徴とする請求項１又は５記載のレンズ鏡筒。
【請求項８】
前記案内溝周辺のヘリコイドは、前記螺旋状の案内溝と重複しているヘリコイドであることを特徴とする請求項１又は６記載のレンズ鏡筒。
【請求項９】
前記案内溝周辺のヘリコイドは、前記螺旋状の案内溝を挟む両側に位置するヘリコイドであることを特徴とする請求項１又は６記載のレンズ鏡筒。
【請求項１０】
前記ヘリコイドの谷部の前記肉盛りに伴うヘリコイド配列が異なる部分を、前記筒状部材と他の筒状部材を組み込む際の組み込み位相目印とすることを特徴とする請求項１記載のレンズ鏡筒。
【請求項１１】
前記筒状部材は、前記筒状部材の前記雄ヘリコイドと他の筒状部材の雌ヘリコイドとの嵌合及び前記直線状の案内溝を介して、前記他の筒状部材の内周側に組み込み可能であることを特徴とする請求項１、３、５の何れかに記載のレンズ鏡筒。
【請求項１２】
前記筒状部材は、前記筒状部材の前記雌ヘリコイドと他の筒状部材の雄ヘリコイドとの嵌合及び前記螺旋状の案内溝を介して、前記他の筒状部材の外周側に組み込み可能であることを特徴とする請求項１、４、６の何れかに記載のレンズ鏡筒。
【発明の詳細な説明】
【技術分野】
【０００１】
本発明は、撮像装置に装着可能なレンズ鏡筒に関する。
【背景技術】
【０００２】
従来、円筒状の筐体の内部に複数のレンズを光軸方向に移動可能に保持した構造のズームレンズ鏡筒がある。ズームレンズ鏡筒を薄肉化すると共に強度を保つことを目的とした従来技術としては、以下に示すようなものが提案されている。
【０００３】
第１の従来技術は、直進筒に直進案内貫通溝と径方向外向きに突出する直進案内突起を有するものにおいて、直進案内貫通溝と直進案内突起を直進筒周方向の同一位置に形成することによって、直進案内貫通溝の導入部分の肉厚を増やし強度を保ちつつ鏡筒の小径化を可能としている（例えば、特許文献１参照）。
【０００４】
第２の従来技術は、外側に凸ヘリコイドが切られた鏡筒の内側に外側の凸ヘリコイドとは逆向きに螺旋溝を切ることにより、螺旋溝がヘリコイドによって橋渡しされることで、鏡筒の強度を保つことを可能としている（例えば、特許文献２参照）。
【０００５】
第３の従来技術は、外筒に設けられた直進案内溝の底面を径方向に対して直交する平面とし、その底面から筒外周までの肉厚部分が底面と平行になるように筒外周部を切り欠くことで、鏡筒の強度を保ちながら小型化を可能としている（例えば、特許文献３参照）。
【特許文献１】特開２００１−２１５３８５号公報
【特許文献２】特開２００１−１１６９７３号公報
【特許文献３】特開平９−２８８２３０号公報
【発明の開示】
【発明が解決しようとする課題】
【０００６】
しかしながら、第１の従来技術（特開２００１−２１５３８５号公報）では、径方向外向きに突出する直進案内突起を利用して直進案内貫通溝の導入部分の肉厚を増やしているため、直進案内突起を有する鏡筒については有効であるがそうでないものには適用できないという問題があった。
【０００７】
また、第２の従来技術（特開２００１−１１６９７３号公報）では、螺旋溝がヘリコイドによって橋渡しされることで鏡筒の強度を保っているため、螺旋溝を貫通溝にしたい場合は適用できないという問題があった。
【０００８】
また、第３の従来技術（特開平９−２８８２３０号公報）では、筒部材の切り欠き部分に他部品を隣接して配置することでカメラの小型化に寄与するので、筒部材自体の回転は不可能である。また、筒外周面がヘリコイドで形成されている筒に対しても適用できないという問題があった。
【０００９】
更に、従来は、ズームレンズ鏡筒の案内溝底面から鏡筒外形までの肉厚を確保するために案内溝底面の径を大きくすることができず、案内溝を摺動する案内突起部あるいは案内溝を通過するカム突起部を、組み立て性の面からわざわざ別体にしているものが多かった。
【００１０】
本発明の目的は、強度を確保しながら小径化を達成すると共に部品を別体にすることなく組み込みを可能とし、組み立て作業性も向上させることを可能としたレンズ鏡筒を提供することにある。
【課題を解決するための手段】
【００１１】
上述の目的を達成するために、本発明は、筒状部材と、前記筒状部材の周面に形成されたヘリコイドと、前記筒状部材の周面に形成された案内溝とを備え、前記筒状部材における前記案内溝周辺の前記ヘリコイドの谷部を前記ヘリコイドの山部と略同一面となるように肉盛りしたことを特徴とする。
【００１２】
また、本発明は、前記筒状部材における前記ヘリコイド形成面の反対側の面に、前記筒状部材の内部を軸方向に移動可能なレンズ保持部材の外周側が挿通可能な切り欠き部を備え、前記切り欠き部の底面の径が、前記ヘリコイドの谷部の径と前記ヘリコイドの山部の径との間にあることを特徴とする。
【００１３】
また、本発明は、前記ヘリコイドは、前記筒状部材の外周面に形成された雄ヘリコイドであることを特徴とする。
【００１４】
また、本発明は、前記ヘリコイドは、前記筒状部材の内周面に形成された雌ヘリコイドであることを特徴とする。
【００１５】
また、本発明は、前記案内溝は、前記ヘリコイドと交差し光軸に略平行な直線状の案内溝であることを特徴とする。
【００１６】
また、本発明は、前記案内溝は、前記ヘリコイドと同一のリードで形成された螺旋状の案内溝であることを特徴とする。
【００１７】
また、本発明は、前記案内溝周辺のヘリコイドは、前記直線状の案内溝と交差しているヘリコイドであることを特徴とする。
【００１８】
また、本発明は、前記案内溝周辺のヘリコイドは、前記螺旋状の案内溝と重複しているヘリコイドであることを特徴とする。
【００１９】
また、本発明は、前記案内溝周辺のヘリコイドは、前記螺旋状の案内溝を挟む両側に位置するヘリコイドであることを特徴とする。
【００２０】
また、本発明は、前記ヘリコイドの谷部の前記肉盛りに伴うヘリコイド配列が異なる部分を、前記筒状部材と他の筒状部材を組み込む際の組み込み位相目印とすることを特徴とする。
【００２１】
また、本発明は、前記筒状部材は、前記筒状部材の前記雄ヘリコイドと他の筒状部材の雌ヘリコイドとの嵌合及び前記直線状の案内溝を介して、前記他の筒状部材の内周側に組み込み可能であることを特徴とする。
【００２２】
また、本発明は、前記筒状部材は、前記筒状部材の前記雌ヘリコイドと他の筒状部材の雄ヘリコイドとの嵌合及び前記螺旋状の案内溝を介して、前記他の筒状部材の外周側に組み込み可能であることを特徴とする。
【００２３】
更に、本発明のレンズ鏡筒は、筒状部材と、前記筒状部材の周面に形成されたヘリコイドと、前記筒状部材の周面に形成された直線状の案内溝と、前記筒状部材における前記ヘリコイド形成面の反対側の面に形成され、前記筒状部材内の軸方向に移動可能に配設されるレンズ保持部材の外周側が挿通可能な切り欠き部とを備え、前記筒状部材における前記案内溝と交差する個所の前記ヘリコイドの谷部を前記ヘリコイドの山部と略同一面となるように肉盛りする、構成としてもよい。
【００２４】
更に、本発明のレンズ鏡筒は、筒状部材と、前記筒状部材の周面に形成されたヘリコイドと、前記筒状部材の周面に前記ヘリコイドと同一リードで形成された螺旋状の案内溝とを備え、前記筒状部材における前記案内溝を挟む個所或いは前記案内溝と重複する個所の前記ヘリコイドの谷部を前記ヘリコイドの山部と略同一面となるように肉盛りする、構成としてもよい。
【発明の効果】
【００２５】
本発明によれば、筒状部材における案内溝周辺のヘリコイドの谷部をヘリコイドの山部と略同一面となるように肉盛りしたので、レンズ鏡筒の強度を確保しながら小径化を達成することが可能となる。
【００２６】
また、本発明によれば、筒状部材におけるヘリコイドの形成面の反対側の面に、レンズ保持部材の外周側が挿通可能で、底面の径がヘリコイドの谷部の径とヘリコイドの山部の径との間にある切り欠き部を備えているので、レンズ保持部材と該レンズ保持部材に取り付けられる部材とを別体にすることなく、筒状部材にレンズ保持部材を組み込むことができる。
【００２７】
また、本発明によれば、筒状部材における案内溝周辺のヘ雄リコイドの谷部を雄ヘリコイドの山部と略同一面となるように肉盛りすることで、レンズ鏡筒の強度を確保しながら小径化を達成することが可能となる。
【００２８】
また、本発明によれば、筒状部材における案内溝周辺のヘ雌リコイドの谷部を雌ヘリコイドの山部と略同一面となるように肉盛りすることで、レンズ鏡筒の強度を確保しながら小径化を達成することが可能となる。
【００２９】
また、本発明によれば、ヘリコイドと交差し光軸に略平行な直線状の案内溝周辺のヘリコイドの谷部をヘリコイドの山部と略同一面となるように肉盛りすることで、レンズ鏡筒の強度を確保しながら小径化を達成することが可能となる。
【００３０】
また、本発明によれば、ヘリコイドと同一のリードで形成された螺旋状の案内溝周辺のヘリコイドの谷部をヘリコイドの山部と略同一面となるように肉盛りすることで、レンズ鏡筒の強度を確保しながら小径化を達成することが可能となる。
【００３１】
また、本発明によれば、直線状の案内溝と交差しているヘリコイドの谷部をヘリコイドの山部と略同一面となるように肉盛りすることで、レンズ鏡筒の強度を確保しながら小径化を達成することが可能となる。
【００３２】
また、本発明によれば、螺旋状の案内溝と重複しているヘリコイドの谷部をヘリコイドの山部と略同一面となるように肉盛りすることで、レンズ鏡筒の強度を確保しながら小径化を達成することが可能となる。
【００３３】
また、本発明によれば、螺旋状の案内溝を挟む両側に位置するヘリコイドの谷部をヘリコイドの山部と略同一面となるように肉盛りすることで、レンズ鏡筒の強度を確保しながら小径化を達成することが可能となる。
【００３４】
また、本発明によれば、ヘリコイドの谷部の肉盛りに伴うヘリコイド配列が異なる部分を、筒状部材と他の筒状部材を組み込む際の組み込み位相目印とするので、組み立て作業性を向上させることができる。
【００３５】
また、本発明によれば、筒状部材の雄ヘリコイドと他の筒状部材の雌ヘリコイドとの嵌合及び直線状の案内溝を介して、筒状部材を他の筒状部材の内周側に組み込むことで形成されるレンズ鏡筒の強度の確保と小径化を達成することが可能となる。
【００３６】
また、本発明によれば、筒状部材の雌ヘリコイドと他の筒状部材の雄ヘリコイドとの嵌合及び螺旋状の案内溝を介して、筒状部材を他の筒状部材の外周側に組み込むことで形成されるレンズ鏡筒の強度の確保と小径化を達成することが可能となる。
【発明を実施するための最良の形態】
【００３７】
以下、本発明の実施の形態を図面に基づき説明する。
【００３８】
［第１の実施の形態］
本発明の第１の実施の形態を説明する。本実施の形態では、以下に示す直進筒１０の外周側に回転筒（図示略）を配置し、該回転筒の外周側に更に別の直進筒（図示略）を配置する構成のズームレンズ鏡筒を例に挙げ説明する。
【００３９】
図１は、本実施の形態に係るズームレンズ鏡筒の直進筒１０の構成を示す斜視図、図２は、直進筒１０の背面図、図３は、図２におけるカムピン配設個所付近を拡大した図である。
【００４０】
図１乃至図３において、ズームレンズ鏡筒を構成する直進筒１０（筒状部材）の末端側の外周面には、直進筒１０の外周側に配置される回転筒（図示略）の雌ヘリコイドと嵌合する雄ヘリコイド１１が形成されている。また、直進筒１０の外周面の周方向に例えば１２０度ずつ等分した３箇所には、それぞれ、直進案内溝１３が光軸方向に沿った状態で形成されている。雄ヘリコイド１１における直進案内溝１３と交差する個所には、雄ヘリコイド埋め立て部１２が形成され、雄ヘリコイド埋め立て部１２裏側の直進案内溝１３と対向する個所には、カムピン導入用切り欠き１４（切り欠き部）が形成されている。ここで、直進筒１０の３個所に直進案内溝１３を配設した場合を例に挙げているが、直進案内溝１３の配設個所は３個所に限定されるものではない。
【００４１】
直進筒１０の内部には、不図示のレンズを保持するレンズホルダ２０と、レンズホルダ２０よりフィルム面側に寄った位置に配置され不図示のレンズを保持するレンズホルダ３０とが配設されている。レンズホルダ２０には、該レンズホルダ２０の径方向に突出し直進案内溝１３に嵌合すると共にレンズホルダ２０を光軸方向に案内する案内突起２２が配設されている。レンズホルダ３０には、該レンズホルダ３０の径方向に突出し直進案内溝１３に嵌合すると共にレンズホルダ３０を光軸方向に案内する案内突起３２が配設されている。ここで、直進筒１０の内部にレンズホルダを２つ配設した場合を例に挙げているが、レンズホルダの配設個数は２つに限定されるものではない。
【００４２】
レンズホルダ２０の外周部には、カムピン２１（レンズ保持部材の外周側）が取り付けられており、直進案内溝１３を介して直進筒１０の外周側に露出している。カムピン２１は、レンズホルダ２０の外周面の周方向に例えば１２０度ずつ等分した間隔で３つ配設されており、直進筒１０の外周側に配置される回転筒のカム溝に嵌合する。レンズホルダ３０の外周部には、カムピン３１（レンズ保持部材の外周側）が取り付けられており、直進案内溝１３を介して直進筒１０の外周側に露出している。カムピン３１は、レンズホルダ３０の外周面の周方向に例えば１２０度ずつ等分した間隔で３つ配設されており、直進筒１０の外周側に配置される回転筒のカム溝に嵌合する。
【００４３】
雄ヘリコイド１１は、複数のヘリコイド谷部１６と複数のヘリコイド山部１７を備えている。雄ヘリコイド埋め立て部１２は、一部のヘリコイド谷部１６をヘリコイド山部１７と同一面となるように肉盛りして埋めたものであり、図３の符号１２aはその範囲を示している。図３の符号３１aはカムピン３１の端面である。カムピン導入用切り欠き１４は、図３に示す底面部１５を備えている。カムピン導入用切り欠き１４の底面部１５の径は、ヘリコイド谷部１６の径とヘリコイド山部１７の径の間に位置している。
【００４４】
更に、本実施の形態の詳細を説明すると、上述したように、直進筒１０には、直進筒１０を光軸方向に進退させるための雄ヘリコイド１１、雄ヘリコイド埋め立て部１２裏側の直進案内溝１３と対向する部分に形成されたカムピン導入用切り欠き１４、レンズホルダ２０及びレンズホルダ３０を光軸方向に案内しカムピン２１及びカムピン３１を通過させるための直進案内溝１３等が配設されている。直進筒１０側のカムピン２１及びカムピン３１が直進筒１０の外周側に配置される回転筒に設けられたカム溝に入る構成のため、直進案内溝１３は直進筒１０の径方向に貫通している必要がある。しかし、ズームレンズ鏡筒の強度と成形性を保つ理由から、有効なカム溝の範囲外で直進筒１０の肉を周方向に繋ぐ構成（図１におけるカムピン２１配設個所より左側の周方向に繋がった部分）としている。
【００４５】
本実施の形態では、直進筒１０の光軸方向進退用として雄ヘリコイド１１を利用している。雄ヘリコイド１１の乗数（周方向のヘリコイド形成本数）は、直進筒１０の外周側に配置される回転筒の雌ヘリコイドによる遮光効果（ズームレンズ鏡筒外部からの光を遮断する効果）の理由から数を増やしており、雄ヘリコイド１１のヘリコイド山部１７の幅より直進案内溝１３の幅のほうが大きくなっている。
【００４６】
直進筒１０を小径化しているため、直進筒１０の末端における雄ヘリコイド１１と直進案内溝１３が交差する部分（カムピン導入用切り欠き１４の形成部分）の肉厚が極めて薄くなる。特に、カムピン導入用切り欠き１４の底面部１５の径とヘリコイド谷部１６の径とを比較して、カムピン導入用切り欠き１４の底面部１５の径がより外側にある場合は、肉厚が非常に薄くなるため、ズームレンズ鏡筒を構成する直進筒１０の強度が著しく低下する。
【００４７】
そこで、本実施の形態では、雄ヘリコイド１１における直進案内溝１３と交差する部分のヘリコイド部分を埋める、即ち、雄ヘリコイド埋め立て部１２を設けることで、肉厚を確保するようにしている。詳細は図３の拡大図に示すように、雄ヘリコイド１１の一部のヘリコイド谷部１６をヘリコイド山部１７と同一面となるように埋めると、１２aに示す範囲で直進筒１０の径方向に肉盛りされるため、直進筒１０に直進案内溝１３を形成し、雄ヘリコイド１１の裏側にカムピン導入用切り欠き１４を形成した場合においても、雄ヘリコイド１１は周方向に一定の肉厚を持って繋がり、ズームレンズ鏡筒を構成する直進筒１０の強度を維持することができる。
【００４８】
次に、直進筒１０に対するレンズホルダ２０、レンズホルダ３０の組み込みについて説明する。図１に示すように、直進筒１０の末端側からレンズホルダ２０、レンズホルダ３０を組み込む際には、それぞれのカムピン２１、カムピン３１をカムピン導入用切り欠き１４から通す必要がある。組み込み方法は、レンズホルダ２０、レンズホルダ３０ともに同様であるため、例えばレンズホルダ３０に注目すると、図３に示すように、カムピン３１の端面３１aの径はカムピン導入用切り欠き１４の底面部１５の径よりも内側であるため、レンズホルダ３０は問題なく直進筒１０に組み込むことができる。
【００４９】
ここで、本実施の形態を適用しないでカムピン導入用切り欠き１４の肉厚を保つとすると、ヘリコイド谷部１６の径から必要とする肉厚分だけカムピン導入用切り欠き１４の底面部１５を内側にシフトする必要があるため、カムピン３１の端面３１aがカムピン導入用切り欠き１４の底面部１５よりも外側になり、レンズホルダ３０の組み込みが不可能となる。このような、カムピン端面がカムピン導入用切り欠き底面よりも外側になる構造での組み込み形態は今までに数多く実施されており、レンズホルダ３０とカムピン３１を別体にしてレンズホルダ３０だけを直進筒１０に組み込んでから、直進案内溝１３の貫通部分に合わせてカムピン３１を組み込むことが行われていた。
【００５０】
そこで、本実施の形態では、カムピン３１の端面３１aの径をカムピン導入用切り欠き１４の底面部１５の径よりも内側とする構造を採用すると共に、雄ヘリコイド１１における直進案内溝１３と交差する部分のヘリコイド部分を埋めて雄ヘリコイド埋め立て部１２を配設し肉厚を確保することにより、カムピン３１とレンズホルダ３０を一体構成にした場合でも、上述したように直進筒１０にレンズホルダ３０を組み込む方法が成立し、直進筒１０の強度を確保しながら、組み立て作業性も格段に向上させることができる。
【００５１】
また、通常、ヘリコイドは一定間隔で形成されるため、直進筒１０の外周側に位置し直進筒１０の雄ヘリコイド１１と嵌合する雌ヘリコイドを有する回転筒に、直進筒１０を組み込む際には、組み込みの位相目印となるものが必要であった。
【００５２】
そこで、本実施の形態では、雄ヘリコイド１１における直進案内溝１３が交差する部分のヘリコイドを埋めて雄ヘリコイド埋め立て部１２を配設することにより、雄ヘリコイド埋め立て部１２周りの雄ヘリコイドが不均等になるため、その不均等部分の雄ヘリコイドを目印とすることで、直進筒１０と回転筒の組み立て作業性を向上させることができる。
【００５３】
本実施の形態では、直進筒１０における直進案内溝１３を施した周方向に１２０度ずつ等分した３箇所ともに、雄ヘリコイド埋め立て部１２を配設しているが、レンズホルダ３０とカムピン３１を別体にする条件ならば、１箇所あるいは２箇所だけ雄ヘリコイド埋め立て部１２を形成することも可能である。特に１箇所だけ雄ヘリコイド埋め立て部１２を形成した場合は、その周辺のヘリコイドを目印ヘリコイドとして利用できるという効果がある。
【００５４】
尚、本実施の形態では、直進筒１０の外周面に雄ヘリコイド１１を形成すると共に貫通した直進案内溝１３を形成する構成としたが、これに限定されるものではなく、直進筒１０の内周面に雌ヘリコイドを形成すると共に貫通しない溝を形成する構成としてもよい。
【００５５】
以上説明したように、本実施の形態によれば、直進筒１０の雄ヘリコイド１１における直進案内溝１３が交差する部分に雄ヘリコイド埋め立て部１２を配設することで、ズームレンズ鏡筒を構成する直進筒１０の強度を確保しながら小径化を達成することが可能となる。また、前記構造により直進筒１０の強度を確保しながら、カムピン３１の端面３１aの径をカムピン導入用切り欠き１４の底面部１５の径よりも内側とする構造を採用することで、レンズホルダとカムピンを別体にすることなく、直進筒１０に対するレンズホルダの組み込みが可能となる。また、雄ヘリコイド１１の一部を埋めて形成した雄ヘリコイド埋め立て部１２周辺のヘリコイドを目印ヘリコイドとして利用することで、直進筒１０と回転筒との組み立て作業性を向上させることができる。
【００５６】
［第２の実施の形態］
次に、本発明の第２の実施の形態を説明する。本実施の形態では、上記第１の実施の形態の直進筒１０の外周側に以下に示す回転筒５０を配置し、該回転筒５０の外周側に以下に示す直進筒４０を配置する構成のズームレンズ鏡筒を例に挙げ説明する。
【００５７】
図４は、本実施の形態に係るズームレンズ鏡筒の直進筒４０の構成を示す斜視図、図５は、本発明を適用しない場合の直進筒４０'の構成を示す斜視図、図６は、直進筒４０に回転筒５０を組み込んだ状態を示す斜視図、図７は、回転筒５０の雄ヘリコイド配設個所付近を拡大した図、図８は、直進筒４０の雌ヘリコイド配設個所付近を拡大した図である。
【００５８】
図４において、ズームレンズ鏡筒を構成する直進筒４０は、図１に示した直進筒１０よりも外周側に配置されるものである。直進筒４０の外周面には、貫通螺旋案内溝４１が後述の雌ヘリコイド４３と同一のリード（１回転させた時に軸方向に動く距離）で形成されている。直進筒４０の末端側と貫通螺旋案内溝４１が結合する個所には、最小肉厚結合部（以後、単に末端結合部と称する）４２が形成されている。直進筒４０の先端側と貫通螺旋案内溝４１が結合する個所には、最小肉厚結合部（以後、単に先端結合部と称する）４４が形成されている。直進筒４０の内周面には、雌ヘリコイド４３が形成されている。
【００５９】
他方、図５に示すように、本発明を適用しない場合の直進筒４０'の内周面の末端側には、貫通螺旋案内溝４１'の両側に雌ヘリコイド４３'aが形成され、末端結合部４２'に雌ヘリコイド４３'cが形成されており、貫通螺旋案内溝４１'の両側及び末端結合部４２'の強度が十分でない。
【００６０】
そこで、本実施の形態では、直進筒４０に形成された貫通螺旋案内溝４１の両側に、図５の雌ヘリコイド４３'aを埋めた雌ヘリコイド埋め立て部４３bと、図５の雌ヘリコイド４３'cを埋めた雌ヘリコイド埋め立て部４３dとを形成することで、貫通螺旋案内溝４１の両側及び末端結合部４２の強度を確保している。
【００６１】
更に、直進筒４０の外周面には、不図示のフレキシブルケーブルを通すためのフレキ溝４５が形成され、末端結合部４２の付近には、光線ケラレ（光線が遮断される現象）を回避するための切り欠き部４６が形成されている。ここで、直進筒４０にフレキ溝４５と切り欠き部４６を形成した場合を例に挙げているが、これらは必須の構成ではない。
【００６２】
図６において、ズームレンズ鏡筒を構成する回転筒５０は、直進筒４０の内周側に配置されるものである。回転筒５０の外周面の末端には、直進筒４０の貫通螺旋案内溝４１を通過し、直進筒４０の外周側を回転する不図示の別の回転筒に回転動力を伝えるための突起５１が形成されている。また、回転筒５０の外周面の末端には、直進筒４０の雌ヘリコイド４３と嵌合する雄ヘリコイド５２と、直進筒４０の雌ヘリコイド埋め立て部４３bに対応するヘリコイド削除部分５３が形成されている。
【００６３】
更に、本実施の形態の詳細を説明すると、図４に示した本実施の形態の直進筒４０と、図５に示した本発明を適用しない直進筒４０'との違いは、貫通螺旋案内溝４１と重なっている雌ヘリコイドと貫通螺旋案内溝４１の両側の雌ヘリコイド４３'aをヘリコイドの山の径（直進筒４０の内径）に合わせて埋めているか否か（雌ヘリコイド埋め立て部４３b、雌ヘリコイド埋め立て部４３dを配設しているか否か）の違いである。
【００６４】
直進筒４０には、回転筒５０の突起５１を通過させながら回転筒５０自体を前に繰り出すために、直進筒４０の軸方向先端から軸方向末端まで伸びる貫通螺旋案内溝４１が形成されている。この直進筒４０全体の強度を司っているのが、上述した先端結合部４４と末端結合部４２である。ズームレンズ鏡筒全体の強度を上げるには、直進筒４０の先端及び末端における貫通螺旋案内溝４１との結合箇所の強度を少しでも上げることが必須となる。
【００６５】
図５に示した本発明を適用しない場合の直進筒４０'の雌ヘリコイド４３'cは、図４に示した本実施の形態の直進筒４０の末端結合部４２に施された切り欠きと考えることができる。直進筒４０の先端結合部４４についても同様である。この部分の強度を上げるために、貫通螺旋案内溝４１の両側に図４に示すような雌ヘリコイド埋め立て部４３bを設けている。
【００６６】
図７、図８において、直進筒４０の内周側に配置される回転筒５０の外周面の端部には、直進筒４０に対する回転筒５０の組み込み位相を確認するための目印雄ヘリコイド５２aが配設され、直進筒４０の内周面の端部には、回転筒５０の目印雄ヘリコイド５２aが嵌合する目印雌ヘリコイド４３eが配設されている。
【００６７】
次に、直進筒４０に対する回転筒５０の組み込みについて説明する。図６に示すように、回転筒５０は、直進筒４０の後方（末端）から光軸方向前方に押しながら回転させて直進筒４０の内周側に組み込む。直進筒４０の内周側に回転筒５０を組み込む際に、回転筒５０の雄ヘリコイド５２と直進筒４０の雌ヘリコイド４３が嵌合し、回転筒５０の突起５１は直進筒４０の貫通螺旋案内溝４１を通過する。この組み込みの際、組み込み位相を確認し易いように、図７に示す回転筒５０の目印雄ヘリコイド５２aと、図８に示す直進筒４０の目印雌ヘリコイド４３eを利用する。
【００６８】
直進筒４０の内周面には、図４に示すように、全ての雌ヘリコイド４３が均等に切られているが、貫通螺旋案内溝４１の両側に雌ヘリコイド埋め立て部４３bを設けたことで、雌ヘリコイド４３の並びが貫通螺旋案内溝４１の両側の個所だけ不均一になり、図８に示す目印雌ヘリコイド４３eは雌ヘリコイド４３の均等な配列の端のヘリコイドとなるので視認し易い。同様に、直進筒４０の組み込み相手側である回転筒５０の雄ヘリコイド５２における、上記雌ヘリコイド４３の並びが不均一となる部分と対応する個所も、不均一に形成されており、図７に示すように目印雄ヘリコイド５２aは雄ヘリコイド５２の均等な配列の端のヘリコイドとなるので視認し易い。
【００６９】
つまり、回転筒５０と直進筒４０の組み立て時には、回転筒５０と直進筒４０にそれぞれ形成されている、視認し易い目印雄ヘリコイド５２aと目印雌ヘリコイド４３eを合わせることで、組み立てを容易にすることができる。
【００７０】
尚、本実施の形態では、直進筒４０の内周面に雌ヘリコイド４３を形成すると共にその一部に貫通螺旋案内溝４１を形成する構成としたが、これに限定されるものではなく、直進筒４０の外周面に雄ヘリコイドを形成すると共に貫通しない溝を形成する構成としてもよい。
【００７１】
以上説明したように、本実施の形態によれば、直進筒４０の貫通螺旋案内溝４１と重複している雌ヘリコイドと貫通螺旋案内溝４１の両側の雌ヘリコイドとを肉盛りにより埋めることで、雌ヘリコイド埋め立て部４３b、雌ヘリコイド埋め立て部４３dを形成すると共に、直進筒４０の末端側及び先端側と貫通螺旋案内溝４１がそれぞれ結合する個所に末端結合部４２、先端結合部４４を形成することで、ズームレンズ鏡筒を構成する直進筒４０の強度を確保しながら小径化を達成することが可能となる。また、直進筒４０に目印雌ヘリコイド４３eを配設し、回転筒５０に目印雄ヘリコイド５２aを配設することで、直進筒４０と回転筒５０との組み立て作業性を向上させることができる。
【００７２】
［他の実施の形態］
第１及び第２の実施の形態では、直進筒の外周側に回転筒を配置し、該回転筒の外周側に更に別の直進筒を配置する構成のズームレンズ鏡筒を例に挙げたが、直進筒と回転筒の配置はこれに限定されるものではない。
【００７３】
第１の実施の形態では、雄ヘリコイド１１の一部を埋めて形成した雄ヘリコイド埋め立て部１２周辺のヘリコイドを目印ヘリコイドとしたが、更に、雄ヘリコイド埋め立て部１２周辺に目印（例えば青や赤などの視認し易い円形の印や三角形の印など）を付加する構成とすれば、組み立て作業性を更に向上させることができる。
【００７４】
第２の実施の形態では、直進筒４０に目印雌ヘリコイド４３eを配設し、回転筒５０に目印雄ヘリコイド５２aを配設したが、更に、目印雌ヘリコイド４３e及び目印雄ヘリコイド５２aに目印（例えば青や赤などの視認し易い円形の印や三角形の印など）を付加する構成とすれば、組み立て作業性を更に向上させることができる。
【図面の簡単な説明】
【００７５】
【図１】本発明の第１の実施の形態に係るズームレンズ鏡筒の直進筒の構成を示す斜視図である。
【図２】直進筒の背面図である。
【図３】図２におけるカムピン配設個所付近を拡大した図である。
【図４】本発明の第２の実施の形態に係るズームレンズ鏡筒の直進筒の構成を示す斜視図である。
【図５】本発明を適用しない場合の直進筒の構成を示す斜視図である。
【図６】直進筒に回転筒を組み込んだ状態を示す斜視図である。
【図７】回転筒の雄ヘリコイド配設個所付近を拡大した図である。
【図８】直進筒の雌ヘリコイド配設個所付近を拡大した図である。
【符号の説明】
【００７６】
１０  直進筒
１１  雄ヘリコイド
１２  雄ヘリコイド埋め立て部
１３  直進案内溝
１４  カムピン導入切り欠き
２０、３０  レンズホルダ
２１、３１  カムピン
４０  直進筒
４１  貫通螺旋案内溝
４３b  雌ヘリコイド埋め立て部
４３d  雌ヘリコイド埋め立て部
４３e  目印雌ヘリコイド
５０  回転筒
５１  突起
５２a  目印雄ヘリコイド
【図１】
2005141067.tif 000003
【図２】
2005141067.tif 000004
【図３】
2005141067.tif 000005
【図４】
2005141067.tif 000006
【図５】
2005141067.tif 000007
【図６】
2005141067.tif 000008
【図７】
2005141067.tif 000009
【図８】
2005141067.tif 000010